【手続補正書】
【提出日】平成18年11月29日(2006.11.29)
【手続補正１】
【補正対象書類名】特許請求の範囲
【補正対象項目名】全文
【補正方法】変更
【補正の内容】
【特許請求の範囲】
【請求項１】
装着された記憶媒体に記憶された画像を印刷する印刷装置であって、
前記記憶媒体に記憶されている画像の中に、重複して存在している重複画像があるか否かを判定する判定手段と、
前記記憶媒体に記憶されている画像の印刷が指示された場合、前記判定手段により重複画像があると判定された画像に対応する重複画像の印刷を禁止し、重複画像を除く印刷対象の画像の印刷を行う印刷制御手段と、
を有することを特徴とする印刷装置。
【請求項２】
装着された記憶媒体に記憶された画像を印刷する印刷装置であって、
外部記憶装置を接続可能な外部インターフェース手段と、
前記記憶媒体及び／又は前記外部記憶装置で重複して存在している重複画像があるか否かを判定する判定手段と、
前記記憶媒体に記憶されている画像の印刷が指示された場合、前記判定手段により重複画像があると判定された画像に対応する重複画像の印刷を禁止し、重複画像を除く印刷対象の画像の印刷を行う印刷制御手段と、
を有することを特徴とする印刷装置。
【請求項３】
前記画像の印刷はインデックス印刷であることを特徴とする請求項１又は２に記載の印刷装置。
【請求項４】
前記判定手段により重複画像が存在すると判定されると、当該重複画像が存在する旨を表示する表示制御手段を、更に有することを特徴とする請求項１又は２に記載の印刷装置。
【請求項５】
前記判定手段により重複画像が存在すると判定されると、当該重複画像の枚数を表示する枚数表示制御手段を更に有することを特徴とする請求項４に記載の印刷装置。
【請求項６】
前記判定手段により重複画像が存在すると判定されると、当該画像に対応付けて重複画像が存在する旨を印刷する重複印刷制御手段を、更に有することを特徴とする請求項１又は２に記載の印刷装置。
【請求項７】
前記判定手段により重複画像が存在すると判定されると、当該画像に対応付けて重複画像の枚数を印刷する枚数印刷制御手段を、更に有することを特徴とする請求項６に記載の印刷装置。
【請求項８】
前記判定手段により重複画像が存在すると判定されると、当該画像に対応付けて重複画像のファイルパスを印刷することを特徴とする請求項６又は７に記載の印刷装置。
【請求項９】
記憶媒体に記憶された画像を印刷する印刷装置であって、
前記記憶媒体から印刷対象の画像を読み出す読み出し手段と、
印刷対象の画像が、前記記憶媒体に記憶されている画像の中に重複画像が存在する画像であるかを判定する判定手段と、
前記判定手段により重複画像が存在すると判定された画像には、重複画像であることを示すデータを付加して画像の印刷を行う印刷制御手段と、
を有することを特徴とする印刷装置。
【請求項１０】
記憶媒体に記憶された画像を印刷する印刷装置であって、
外部記憶装置を接続可能な外部インターフェース手段と、
前記記憶媒体及び／又は前記外部記憶装置から印刷対象の画像を読み出す読み出し手段と、
印刷対象の画像が、前記記憶媒体及び／又は前記外部記憶装置に記憶されている画像の中に重複画像が存在する画像であるかを判定する判定手段と、
前記判定手段により重複画像が存在すると判定された画像には、重複画像であることを示すデータを付加して画像の印刷を行う印刷制御手段と、
を有することを特徴とする印刷装置。
【請求項１１】
前記画像の印刷はインデックス印刷であることを特徴とする請求項９又は１０に記載の印刷装置。
【請求項１２】
前記重複画像であることを示すデータは、重複画像であることを示すアイコンであることを特徴とする請求項９又は１０に記載の印刷装置。
【請求項１３】
前記重複画像であることを示すデータは、重複している画像のファイルパスであることを特徴とする請求項９又は１０に記載の印刷装置。
【請求項１４】
装着された記憶媒体に記憶された画像を印刷する印刷装置における印刷制御方法であって、
前記記憶媒体に記憶されている画像の中に、重複して存在している重複画像があるか否かを判定する判定工程と、
前記記憶媒体に記憶されている画像の印刷が指示された場合、前記判定工程で重複画像があると判定された画像に対応する重複画像の印刷を禁止し、重複画像を除く印刷対象の画像の印刷を行う印刷制御工程と、
を有することを特徴とする印刷制御方法。
【請求項１５】
装着された記憶媒体に記憶された画像を印刷する印刷装置における印刷制御方法であって、
外部記憶装置が接続されている場合、前記記憶媒体及び／又は前記外部記憶装置で重複して存在している重複画像があるか否かを判定する判定工程と、
前記記憶媒体に記憶されている画像の印刷が指示された場合、前記判定工程で重複画像があると判定された画像に対応する重複画像の印刷を禁止し、重複画像を除く印刷対象の画像の印刷を行う印刷制御工程と、
を有することを特徴とする印刷制御方法。
【請求項１６】
前記画像の印刷はインデックス印刷であることを特徴とする請求項１４又は１５に記載の印刷制御方法。
【請求項１７】
前記判定工程で重複画像が存在すると判定されると、当該重複画像が存在する旨を表示する表示制御工程を、更に有することを特徴とする請求項１４又は１５に記載の印刷制御方法。
【請求項１８】
前記判定工程で重複画像が存在すると判定されると、当該重複画像の枚数を表示する枚数表示制御工程を更に有することを特徴とする請求項１７に記載の印刷制御方法。
【請求項１９】
前記判定工程で重複画像が存在すると判定されると、当該画像に対応付けて重複画像が存在する旨を印刷する重複印刷制御工程を、更に有することを特徴とする請求項１４又は１５に記載の印刷制御方法。
【請求項２０】
前記判定工程で重複画像が存在すると判定されると、当該画像に対応付けて重複画像の枚数を印刷する枚数印刷制御工程を、更に有することを特徴とする請求項１９に記載の印刷制御方法。
【請求項２１】
前記判定工程で重複画像が存在すると判定されると、当該画像に対応付けて重複画像のファイルパスを印刷することを特徴とする請求項１９又は２０に記載の印刷制御方法。
【請求項２２】
記憶媒体に記憶された画像を印刷する印刷装置の印刷制御方法であって、
前記記憶媒体から印刷対象の画像を読み出す読み出し工程と、
印刷対象の画像が、前記記憶媒体に記憶されている画像の中に重複画像が存在する画像であるかを判定する判定工程と、
前記判定工程で重複画像が存在すると判定された画像には、重複画像であることを示すデータを付加して画像の印刷を行う印刷制御工程と、
を有することを特徴とする印刷装置の印刷制御方法。
【請求項２３】
記憶媒体に記憶された画像を印刷する印刷装置の印刷制御方法であって、
前記記憶媒体及び／又は外部インターフェースを介して接続された外部記憶装置から印刷対象の画像を読み出す読み出し工程と、
印刷対象の画像が、前記記憶媒体及び／又は前記外部記憶装置に記憶されている画像の中に重複画像が存在する画像であるかを判定する判定工程と、
前記判定工程で重複画像が存在すると判定された画像には、重複画像であることを示すデータを付加して画像の印刷を行う印刷制御工程と、
を有することを特徴とする印刷装置の印刷制御方法。
【請求項２４】
前記画像の印刷はインデックス印刷であることを特徴とする請求項２２又は２３に記載の印刷装置の印刷制御方法。
【請求項２５】
前記重複画像であることを示すデータは、重複画像であることを示すアイコンであることを特徴とする請求項２２又は２３に記載の印刷装置の印刷制御方法。
【請求項２６】
前記重複画像であることを示すデータは、重複している画像のファイルパスであることを特徴とする請求項２２又は２３に記載の印刷装置の印刷制御方法。
【請求項２７】
請求項１４乃至２６のいずれか１項に記載の印刷制御方法を、コンピュータにより実行させることを特徴とするプログラム。
【請求項２８】
請求項２７に記載のプログラムを記憶していることを特徴とする、コンピュータにより読取可能な記憶媒体。
【請求項２９】
複数の画像を記憶する記憶手段と、
前記記憶手段に記憶されている画像に重複して存在している重複画像があるか否かを判定する判定手段と、
前記判定手段により判定された前記重複画像が存在している画像には、重複画像が存在している旨を示す情報を付加して表示する表示制御手段と、
を有することを特徴とする情報処理装置。
【請求項３０】
それぞれが複数の画像を記憶する複数の記憶手段と、
前記複数の記憶手段に記憶されている画像に重複して存在している重複画像があるか否かを判定する判定手段と、
前記判定手段により判定された前記重複画像が存在している画像には、重複画像が存在している旨を示す情報を付加して表示する表示制御手段と、
を有することを特徴とする情報処理装置。
【請求項３１】
前記表示制御手段は、重複画像の枚数、重複画像のファイルパス名、重複画像であることを示すアイコンの少なくともいずれかを表示することを特徴とする請求項２９又は３０に記載の情報処理装置。
【手続補正２】
【補正対象書類名】明細書
【補正対象項目名】０００９
【補正方法】変更
【補正の内容】
【０００９】
本発明の印刷装置は以下のような構成を有する。即ち、
装着された記憶媒体に記憶された画像を印刷する印刷装置であって、
前記記憶媒体に記憶されている画像の中に、重複して存在している重複画像があるか否かを判定する判定手段と、
前記記憶媒体に記憶されている画像の印刷が指示された場合、前記判定手段により重複画像があると判定された画像に対応する重複画像の印刷を禁止し、重複画像を除く印刷対象の画像の印刷を行う印刷制御手段と、
を有することを特徴とする。
【手続補正３】
【補正対象書類名】明細書
【補正対象項目名】００１０
【補正方法】変更
【補正の内容】
【００１０】
本発明の印刷装置の印刷制御方法は以下のような工程を有する。即ち、
装着された記憶媒体に記憶された画像を印刷する印刷装置における印刷制御方法であって、
前記記憶媒体に記憶されている画像の中に、重複して存在している重複画像があるか否かを判定する判定工程と、
前記記憶媒体に記憶されている画像の印刷が指示された場合、前記判定工程で重複画像があると判定された画像に対応する重複画像の印刷を禁止し、重複画像を除く印刷対象の画像の印刷を行う印刷制御工程と、
を有することを特徴とする。